(57)【要約】【課題】高密度実装に適合する多層プリント配線板の接続構造を提供する。【解決手段】本発明によれば、多層プリント配線板の板厚面へのＦＰＣ挿入時において、スライダー装着後、係合部材を用いることでＦＰＣをスライダーと一体化させることにより、多層プリント配線板にＦＰＣを容易かつ、確実に挿入することができる。これにより、高密度実装への適合性及び操作性がより向上した多層プリント配線板の接続構造を提供することができる。【選択図】  図１
2006229158.tif 000002
【特許請求の範囲】
【請求項１】
多層プリント配線板の板厚面に、スライダーと一体になったＦＰＣが挿入されることにより、当該スライダーを介して当該ＦＰＣと当該多層プリント配線板が電気的に接続される多層プリント配線板の接続構造であって、
前記スライダーは、挿入部と把持部を形成している絶縁性ハウジングと、当該ハウジングに並設された複数のベローズコンタクトと、前記ハウジングと係合する略コの字形の係合部材と、を備えており、
前記ＦＰＣは、露出導体部に前記ベローズコンタクトと接触する複数の導体を備えており、
前記多層プリント配線板は、前記スライダーと一体化した前記ＦＰＣが挿入される挿入口と、当該挿入口内部には前記ベローズコンタクトと圧接する複数のライン接続端子を備えており、
前記ＦＰＣに前記スライダーを装着し、前記把持部と前記係合部材により挟持した当該ＦＰＣを、前記挿入口に挿入することにより、前記ベローズコンタクトが前記導体と前記ライン接続端子を付勢すると共に、前記導体と前記ライン接続端子を電気的に接続する多層プリント配線板の接続構造。
【請求項２】
前記ベローズコンタクトは、ヘアピン状に折り曲げられた第１腕と、前記ハウジングに保持された第２腕を有しており、
当該第１腕には、前記ライン接続端子と接触する山部を構成する第１接触部と、前記導体と接触する谷部を構成する第２接触部と、前記山部から延出する延出部を備えている請求項１記載の多層プリント配線板の接続構造。
【請求項３】
前記係合部材の一方の面が前記多層プリント配線板の前記挿入口を有する面と当接する請求項１又は２に記載の多層プリント配線板の接続構造。
【請求項４】
前記係合部材は、前記スライダー係合時において前記露出導体部に対向する面に前記露出導体部を押止する複数の凸部を有する請求項１から３いずれか記載の多層プリント配線板の接続構造。
【請求項５】
前記係合部材が、前記延出部を押止する請求項１から３いずれか記載の多層プリント配線板の接続構造。
【発明の詳細な説明】
【技術分野】
【０００１】
本発明は、多層プリント配線板の接続構造に関し、特に、平形柔軟ケーブルであるＦＰＣ（Ｆｌｅｘｉｂｌｅ  Ｐｒｉｎｔｅｄ  Ｃｉｒｃｕｉｔ）と多層プリント配線板が電気的に接続される多層プリント配線板の接続構造に関する。
【背景技術】
【０００２】
従来より、多くの電子機器に実装される電子部品モジュールやプリント配線板間を接続するには、ＦＰＣが使用されている。そして、ＦＰＣ用コネクタにも実装密度を上げるべく、低背化、小型化等の高密度実装に適合する構造が要求されていた。
【０００３】
また、プリント配線板に関しては、絶縁基板上に導体配線を有し、ＩＣなどの能動部品やコネクタなどの受動部品、その他電子部品等を実装し、これを導体配線に接続して電子回路を構成する両面プリント配線板が使用されていた。しかしながら、近年においては、ＬＳＩの高速化・高集積化に伴って、配線パターンが高密度化し、両面では回路配線が収容し切れなくなっており、両面プリント配線板に換えて、多層プリント配線板が普及してきている。
【０００４】
多層プリント配線板は、ウエハース状に絶縁体とパターンを積み重ねたものであり、部品の実装密度が上がり、回路結線が複雑になると両面では回路配線を収容しきれないため層を増やすことにより対応したものである。
【０００５】
さらに、近年においては、携帯電話機やモバイルにみられるように、ダウンサイジングの要求が高く、多層プリント配線板にコネクタを配置し、ＦＰＣで電気的に接続するような従来の接続構造に代わる高密度実装に適合する接続構造が望まれていた。これは、通信機器や情報機器以外の分野においても、電子部品の小型化や高速化に伴って、高密度実装に適合する多層プリント配線板の接続構造が要求されていることでもあった。
【０００６】
従来の接続構造に代わる高密度実装に適合する多層プリント配線板の接続構造としては、多層プリント配線板の板厚部にＦＰＣを挿入するＦＰＣ用コネクタの接続構造が開示されている（例えば、特許文献１）。
【０００７】
特許文献１は、スライダーをＦＰＣに装着した後、多層プリント配線板の板厚面にスライダーと一体となったＦＰＣを挿入することにより、電気接続を可能としている。多層プリント配線板の実装面が有効に活用でき、より高密度実装に適合するとしている接続構造である。
【特許文献１】特開２００４−３３５５５１号公報
【発明の開示】
【発明が解決しようとする課題】
【０００８】
特許文献１で開示されたＦＰＣ用コネクタは、多層プリント配線板の板厚面に挿入口を形成し、ＦＰＣを挿入することで、実装面の有効化及び全体の小型化等がなされている。しかし、ＦＰＣにスライダーを被装させるのみの構造であるため、スライダーが固定されておらず、容易に外れてしまうという問題があった。さらに、ＦＰＣの露出導体面にスライダーを被装させるのみの構造のため、多層プリント配線板のライン接続端子が、スライダーのコンタクトが配設されている面と反対の面に配設されていた場合には、使用できないという問題があった。
【０００９】
そこで、ＦＰＣにスライダーを装着した後、ＦＰＣからスライダーが容易に外れないように固定することで、多層プリント配線板のライン接続端子が配設されている面の方向に係らず、ＦＰＣからスライダーが外れることなく容易に挿入することができるようにすることが望まれていた。
【００１０】
本発明は、以上のような課題に鑑みてなされたものであり、従来よりも高密度実装への適合性及び操作性の向上した多層プリント配線板の接続構造を提供することを目的とする。
【課題を解決するための手段】
【００１１】
本発明者らは、上記課題を解決するため、多層プリント配線板の板厚面に形成された挿入口へのＦＰＣ挿入時において、係合部材を用いてＦＰＣをスライダーと一体化させることにより、高密度実装への適合性及び操作性がより向上できることを見出し、本発明を完成するに至った。具体的には、本発明は以下のような多層プリント配線板の接続構造を提供する。
【００１２】
（１）  多層プリント配線板の板厚面に、スライダーと一体になったＦＰＣが挿入されることにより、当該スライダーを介して当該ＦＰＣと当該多層プリント配線板が電気的に接続される多層プリント配線板の接続構造であって、前記スライダーは、挿入部と把持部を形成している絶縁性ハウジングと、当該ハウジングに並設された複数のベローズコンタクトと、前記ハウジングと係合する略コの字形の係合部材と、を備えており、前記ＦＰＣは、露出導体部に前記ベローズコンタクトと接触する複数の導体を備えており、前記多層プリント配線板は、前記スライダーと一体化した前記ＦＰＣが挿入される挿入口と、当該挿入口内部には前記ベローズコンタクトと圧接する複数のライン接続端子を備えており、前記ＦＰＣに前記スライダーを装着し、前記把持部と前記係合部材により挟持した当該ＦＰＣを、前記挿入口に挿入することにより、前記ベローズコンタクトが前記導体と前記ライン接続端子を付勢すると共に、前記導体と前記ライン接続端子を電気的に接続する多層プリント配線板の接続構造。
【００１３】
（２）  前記ベローズコンタクトは、ヘアピン状に折り曲げられた第１腕と、前記ハウジングに保持された第２腕を有しており、当該第１腕には、前記ライン接続端子と接触する山部を構成する第１接触部と、前記導体と接触する谷部を構成する第２接触部と、前記山部から延出する延出部を備えている（１）記載の多層プリント配線板の接続構造。
【００１４】
（３）  前記係合部材の一方の面が前記多層プリント配線板の前記挿入口を有する面と当接する（１）又は（２）に記載の多層プリント配線板の接続構造。
【００１５】
（４）  前記係合部材は、前記スライダー係合時において前記露出導体部に対向する面に前記露出導体部を押止する複数の凸部を有する（１）から（３）いずれか記載の多層プリント配線板の接続構造。
【００１６】
（５）  前記係合部材が、前記延出部を押止する（１）から（３）いずれか記載の多層プリント配線板の接続構造。
【００１７】
（１）記載の発明によれば、ＦＰＣにスライダーを装着した後、ＦＰＣを挟んでスライダーと対向する向きに係合部材を配置し、係合部材とスライダーを係合させることによりＦＰＣを挟持し、これを一体化させる。前記スライダーと一体化した前記ＦＰＣを多層プリント配線板の板厚面に形成された挿入口に挿入させる。これにより、前記スライダーを介して前記ＦＰＣと前記多層プリント配線板が電気的に接続される。このため、多層プリント配線板の実装面を有効に活用でき、かつ、係合部材を用いることにより、ＦＰＣとスライダーが一体化し、ＦＰＣの挿入時において、ＦＰＣからスライダーが外れることなく容易に多層プリント配線板に挿入することができる。また、多層プリント配線板の挿入口の向きに係らず、スライダーを挿入することができる。したがって、従来よりも高密度実装への適合性及び操作性の向上した多層プリント配線板の接続構造を提供することができる。
【００１８】
また、本発明に係る接続構造は、多層プリント配線板の板厚面に形成された挿入口にＦＰＣを挿入するだけの構造であるため、リペア性に優れ、多層プリント配線板とＦＰＣを接触するためのはんだ付け等の実装技術も必要としない。これにより、容易に接続することが可能となる。
【００１９】
さらに、係合部材によりＦＰＣをスライダーと挟み込む状態で用いることにより、容易に各部品が外れたりすることがなくなる。また、スライダーのベローズコンタクトに加え、係合部材でもＦＰＣを押止することになるため、確実に導通し、接触不良又は短絡の可能性を減らすことができる。
【００２０】
多層プリント配線板は、導体層が絶縁基板の表面と内部に形成されており、これを厚さ方向に立体接続してよい。また、立体接続するためには、厚さ方向に穴があけられ、穴の内部の壁面又は穴空間全体に導体を形成して接続してもよい。多層プリント配線板の立体接続はめっきスルーホール法によって実施されてもよい。
【００２１】
この多層プリント配線板は、内層コアとなる絶縁基板である内層板に、両面の銅張積層板を用いプリントエッチング法により導体パターンが形成された第１外層板及び第２外層板を積層した３層板であってよい。
【００２２】
更に、前記３層板にプリプレグと銅箔を積層して、４層、５層・・ｎ層板と必要に応じて積層してよい。これら多層プリント配線板は穴があけられ、スルーホール、ビア（Ｖｉａ）、パッドオンホール（Ｐａｄ  ｏｎ  ｈｏｌｅ）などが形成されてよい。
【００２３】
また、切り欠き溝を形成している内層板を第１外層板及び第２外層板で挟むことにより、このＦＰＣが接続される多層プリント配線板は、切り欠き溝がＦＰＣと組み合わされたスライダーを挿入する挿入口を板厚面に形成しているとしてよい。
【００２４】
この多層プリント配線板は、ＦＰＣを装着させて挿入する穴に基板を装着する代わりに、コネクタ化にすることでコネクタの形状次第でトップタイプ、ライトアングルタイプの構造としてもよい。
【００２５】
ＦＰＣはＦＦＣ（Ｆｌｅｘｉｂｌｅ  Ｆｌａｔ  Ｃａｂｌｅ）であってもよい。ＦＰＣは、外部への露出面を形成しており、当該露出面に複数の導体と、当該導体の露出面の反対面に密着配置される絶縁性の基材とからなる露出導体部を備え、更に、補強板が前記基材に密着配置されている積層構造であってよい。
【００２６】
なお、露出導体部とは、ＦＰＣに形成される導体の外部接続となる接触端子部であって、ポリイミドフィルムなどで被覆されていない端末部分を示している。
【００２７】
絶縁性の基材は例えば、薄膜のポリイミド板であってよく、導体は導通性に良好な材料（例えば、銅箔板）であってよく、複数の導体がエッチングなどで形成された後に露出面における導体にニッケルめっきが施されてよい。前記ニッケルめっきはその他、導通性の硬質めっきであってもよい。
【００２８】
ＦＰＣは、導体、基材、補強板の順番に積層されてよく、露出導体部以降はポリイミドフィルムで被膜されてよい。
【００２９】
このＦＰＣは、低電圧の電源、アース、信号、差動信号が供給されてよい。そして、これら電気信号が前記ベローズコンタクトを介して多層プリント配線板のライン接続端子に相互接続されてよい。
【００３０】
前記ベローズコンタクトは伝導性からは銅合金板で成形されるのが好ましく、リン青銅板やベリリウム青銅板であってよい。そして、銅合金板にニッケルめっきやクロームめっきが施されてよい。接触抵抗を少なくするためには、これらめっき上に金がフラッシュめっきされてもよい。
【００３１】
さらに、ベローズコンタクトは、耐磨耗性を確保するためには鋼薄板で成形されてもよい。鋼薄板にニッケルめっきやクロームめっきが施されてよい。接触抵抗を少なくするためには、これらめっき上に金がフラッシュめっきされてもよい。
【００３２】
複数のベローズコンタクトが整列するようにハウジングにおける挿入部の複数の溝に圧入されてよい。圧入された状態においては、第２腕が挿入部の溝に固定されてよい。
【００３３】
（２）記載の発明によれば、前記ベローズコンタクトは、ヘアピン状に折り曲げられた第１腕と、前記ハウジングに保持された第２腕を有しており、当該第１腕には、前記ライン接続端子と接触する山部を構成する第１接触部と、前記導体と接触する谷部を構成する第２接触部と、前記山部から延出する延出部を備えている。これにより、ＦＰＣ装着時において、第１腕の弾性変形により、ヘアピン状に折り曲げられたベローズコンタクトの山部を構成した第１接触部がライン接続端子を圧接し、谷部を構成した第２接触部がＦＰＣを圧接するため、接触不良等による短絡を防ぐことができる。これにより、従来よりも高密度実装への適合性及び操作性の向上した多層プリント配線板の接続構造を提供することができる。
【００３４】
ここで、ベローズコンタクトの第１腕は、ヘアピン状に折り返された部分をいい、第２腕は、スライダーの基材に保持されている部分をいう。
【００３５】
好ましい様態の多層プリント配線板の接続構造において、ベローズコンタクトにおける第１接触部からＦＰＣ下面までの間隔は、ＦＰＣが挿入される挿入口の幅（実質的に内層板の板厚）より僅かに大きくなっており、ベローズコンタクトが挿入口に挿入されることにより、第１腕は挿入口の内壁に圧迫されて弾性変形するとしてよい。
【００３６】
そして、第１接触部及び第２接触部を有する第１腕が弾性変形することにより、その反作用として第１接点は挿入口内に備えられているライン接続端子に接触圧を付与し、さらに、第２接触部においてＦＰＣに接触圧を加える。
【００３７】
なお、ベローズコンタクトにおける接触部は、点接触のみならず、線接触又は面接触を含むものとする。好ましい様態の接点構造において、第１接触部は多層版のライン接続端子に当接する面接触であり、第２接触部はＦＰＣに当接する面接触であるが、線接触であってもよい。
【００３８】
また、ベローズコンタクトは、第１腕と第２腕がＵ字状に開口している屈曲形状のみならず、放物線形状又は大きな曲率を有する緩やかな円弧形状としてもよい。
【００３９】
（３）記載の発明によれば、スライダーの把持部に係合部材を係着させることで、ＦＰＣ挿入時において、係合部材が多層プリント配線板の板厚面に当接して、ＦＰＣが挿入口内をそれ以上進行しないようにすることができる。これにより、係合部材がＦＰＣの挿入量を規制し、ＦＰＣ挿入時における接続部材の破損を防ぐことができる。したがって、従来よりも高密度実装への適合性及び操作性の向上した多層プリント配線板の接続構造を提供することができる。
【００４０】
スライダーの把持部の底面に形成されている一対の突起は、ＦＰＣに形成されている一対の溝に嵌合されてよい。嵌合とは、形状が合ったものをはめ合わせることである。実施様態においては、突起は四角柱であり、溝は矩形の切り欠き溝であるが、四角柱状の突起をピンに換え、溝を丸穴にしてもよい。
【００４１】
このスライダーは、ベローズコンタクトの第２接触部でＦＰＣを圧接し、把持部の突起をＦＰＣの溝に嵌合し、係合部材をスライダーの把持部に係着することで、ＦＰＣを多層プリント配線板の挿入口に容易に滑動させるためのものである。そして、スライダーの把持部に係合部材を係着させることで、係合部材が多層プリント配線板の板厚面に当接して、ＦＰＣが挿入口内をそれ以上進行しないようにしてもよい。
【００４２】
（４）記載の発明によれば、係合部材の複数の凸部がＦＰＣの基材を押止するため、ＦＰＣの振れを抑えることができ、かつ、スライダーの脱離を防止することができる。また、係合部材の凸部は、スライダーに並設されたベローズコンタクト同士の隙間に配設されるように形成されているため、ベローズコンタクト同士の接触による短絡を防ぐことができる。したがって、従来よりも高密度実装への適合性及び操作性の向上した多層プリント配線板の接続構造を提供することができる。
【００４３】
（５）記載の発明によれば、係合部材によりベローズコンタクトの延出部を押止した状態でＦＰＣを挿入することにより、ＦＰＣの導体部を挿抜するときに、挿抜力をほとんど必要としないＺＩＦ（Ｚｅｒｏ  Ｉｎｓｅｒｔｉｏｎ  Ｆｏｒｃｅ）型プリント配線板用コネクタとすることができる。これにより、大型化させることなくＦＰＣの挿入操作性及びスライダーのスライド操作性を向上させる事ができる。したがって、従来よりも高密度実装への適合性及び操作性の向上した多層プリント配線板の接続構造を提供することができる。
【００４４】
この係合部材は、スライダーのベローズコンタクトの間から、ＦＰＣの基材を押圧するように複数のくし歯状の凸部を有していてもよい。ここで、くし歯状とは、凸部がスライダーのベローズコンタクトの間に収まるように、並設された状態をいう。またこれは、ベローズコンタクトの第一腕を押圧するものであってもよい。
【００４５】
また、係合部材の凸部先端部は、円弧状であってもよく、平面状又は、多角形状であってもよい。
【００４６】
このような好適な実施様態による多層プリント配線板の接続構造は、既存技術のＦＰＣを利用できることに優位性がある。すなわち、導体自体は加工する必要性がなく、予め用意されたスライダー及び係合部材に既存技術のＦＰＣを挿入することで目的を達成するための接続構造が得られる。また、各部材の組み立てにおいては、手作業で組み立てることが可能であり、新たな組み立て用の設備を必要としない。
【発明の効果】
【００４７】
本発明によれば、係合部材を用いることにより、ＦＰＣにスライダーを確実に固定する事ができ、多層プリント配線板への挿入が容易且つ確実に行うことができる。これにより、従来よりも高密度実装への適合性及び操作性の向上した多層プリント配線板の接続構造を提供することができる。
【発明を実施するための最良の形態】
【００４８】
以下に、本発明の実施の形態について図面に基づいて説明するが、本発明はこれに限定されるものではない。
【００４９】
図１は、本発明に係る実施例におけるＦＰＣと多層プリント配線板との接続構造を示す外観斜視図である。図２は、図１における実施例において、ＦＰＣ、スライダー及び係合部材を一体化したものを多層プリント配線板に挿入する状態の接続構造を示す外観斜視図である。図３は、図１における実施例において、ＦＰＣ、スライダー及び係合部材を一体化したものを多層プリント配線板に挿入した状態の接続構造を示す外観斜視図である。図４は、本発明に係る実施例におけるスライダーを示す図である。図５は、図４におけるｘ−ｘ断面図である。図６は、図４におけるｙ−ｙ断面図である。図７は、本発明に係る実施例における係止部材を示す図である。図８は、本発明に係る実施例においてスライダーにＦＰＣを装着した状態を示す外観斜視図である。図９は、図８に係合部材を装着した状態を示す外観斜視図である。図１０は、本発明に係る実施例におけるＦＰＣの挿入状態を示す断面図である。図１１は、本発明に係る変形例におけるＦＰＣの挿入状態を示す断面図である。
【００５０】
＜実施例＞
図１に示すように、ＦＰＣ２は、露出導体部２１において外部への露出面２２を形成している。この露出面２２には、複数の導体２０が形成されており、この導体２０は、絶縁性の基材２３上に接着されている。
【００５１】
絶縁性の基材２３は、例えば、薄膜のポリイミド板である。導体２０は、導通性に良好な材料（例えば、銅箔板）であってよく、複数の導体２０がエッチングなどで形成された後にニッケルめっきが施されているものであってもよい。
【００５２】
ＦＰＣ２は、基材２３の上面に導体２０が積層されており、露出導体部２１以降はポリイミドフィルムで被膜されている。なお、本実施例には用いていないが、基材の下面に補強版を用いたものであってもよい。また、ＦＰＣ２には、図１に示すように、露出導体部２１以降に幅方向に相反するように一対の矩形の溝２４が形成されており、スライダー３に装着したときにスライダー３の一対の嵌合凸部３０に嵌合する（図８参照）。
【００５３】
図１に示す実施形態において、多層板１は、内層コアとなる絶縁基板である内層板１０に、両面の銅張積層板を用いプリントエッチング法により導体パターンが形成された第１外層板１１及び第２外層板１２を積層した３層板になっている。
【００５４】
また、図２に示すように、内層板１０には、ＦＰＣ２と組み合わされたスライダー３が挿入される幅Ｗ１と奥行きＤ１を有する切り欠き溝１３が形成されている。第１外層板１１は、切り欠き溝１３に表出する複数のライン接続端子１４を備えている。第２外層板１２は、第１外層板１１に対向するように配置されている。
【００５５】
そして、切り欠き溝１３を形成している内層板１０を第１外層板１１及び第２外層板１２で挟むことにより、このＦＰＣ２が接続される多層板１は、切り欠き溝１３がＦＰＣ２と組み合わされたスライダー３を挿入する挿入口１５を形成している。
【００５６】
ここで、図８に示すように、ＦＰＣ２の露出導体部２１の幅と、スライダー３の内壁の横幅は一致している。また、図２に示すように、挿入口１５の幅は、スライダー３の幅より僅かに大きく、挿入口１５がスライダー３を幅方向に案内すると共に規制する。このように、スライダー３を幅方向に規制することにより、ＦＰＣ２と接続するベローズコンタクト３２と、多層板１に形成されているライン接続端子１４の位置合わせが容易となる（図３参照）。
【００５７】
また、図３に示すように、係合部材３５を係合したＦＰＣ２の挿入完了時には、係合部材３５の一方の面が多層板１の挿入口１５を有する面に当接する。これにより当該係合部材３５がストッパーとなり、これ以上挿入できないようになる。
【００５８】
図４（ａ）は、スライダー３の平面図であり、（ｂ）は背面図、（ｃ）は正面図、（ｄ）は側面図である。図４（ａ）に示されるように、スライダー３は、絶縁性ハウジング３１に複数のベローズコンタクト３２を並設する。
【００５９】
絶縁性ハウジング３１は、多層板１に挿入される挿入部３１Ａと把持部３１Ｂで構成されており、把持部３１Ｂには、ＦＰＣと嵌合する一対の嵌合凸部３０が設けられている。さらに、係合部材３５と係合する一対の係合溝３３が設けられている。
【００６０】
図４から６に示されるように、ベローズコンタクト３２は、絶縁性ハウジング３１内に整列するように圧入される。ここで、複数のベローズコンタクト３２が圧入された状態においては、第２腕３４が挿入部に固定される。
【００６１】
また、図６に示されるように、ベローズコンタクト３２は、ヘアピン状に折り曲がった第１腕３６とハウジングに保持された第２腕３４を有する。さらに、第１腕３６には、ライン接続端子１４と接触する第１接触部３２ＡとＦＰＣ２の導体２０と接触する第２接触部３２Ｂを有する（図１０参照）。
【００６２】
図７（ａ）は、係合部材３５の平面図であり、（ｂ）は背面図、（ｃ）は正面図、（ｄ）は底面図、（ｅ）は側面図、（ｆ）は図７（ｄ）におけるｚ-ｚ断面図である。
【００６３】
図７に示されるように、係合部材３５は、略平板状のカバー本体３７の両端部から突出する対向する一対の爪３８が設けられている。この一対の爪３８は、互いに外側に弾性変形した後に復帰してスライダー３の係合溝３３と係合する（図１及び２参照）。
【００６４】
また、カバー本体３７には、スライダー３と係合する面に凸部３５Ａが設けられている（図７参照）。この凸部３５Ａは、図９に示すように、スライダー３と係合する際に、ベローズコンタクト３２より１つ多い数の凸部３５Ａが、くし歯状に並設されている。ここで、くし歯状とは、凸部がスライダーのベローズコンタクトの間に収まるように、並設された状態をいう。この凸部３５Ａは、スライダー３のベローズコンタクト３２の間からＦＰＣ２の基材２３を押止する。
【００６５】
なお、本実施形態においては、凸部３５Ａ先端部は、４角を有する形状になっているが、本形状は、円弧状であってもよく、平面状又は、多角形状であってもよい。
【００６６】
次に、本発明による実施形態における多層板１とＦＰＣ２の接続状態を図１０に基づいて説明する。
【００６７】
図１０に示すように、ＦＰＣ２をスライダー３と係合部材３５を用いて一体化させて、多層板１の挿入口１５内に挿入すると、ベローズコンタクト３２の第１接触部３２Ａは、多層板１に設けられたライン接続端子１４を圧接する。さらに、ベローズコンタクト３２の第２接触部３２Ｂは、ＦＰＣ２の露出面２２における導体２０に接触しており、導体２０を圧接している。
【００６８】
図１０で示された多層板１の接続構造においては、ＦＰＣ２は、スライダー３内におけるベローズコンタクト３２の第２接触部に接続されており、ベローズコンタクト３２は、挿入口１５内からライン接続端子１４に圧接されることにより、ＦＰＣ２と多層板１の電気的相互接続を可能とする。
【００６９】
なお、図１０の実施形態においては、スライダー３と係合している係合部材３５が多層板１の板厚面に当接しており、スライダー３は、挿入口１５内にこれ以上は進行しない。
【００７０】
本実施形態においては、多層板１の板厚面に挿入口１５を設け、スライダー３を挿入しているが、基板と基板の空間を利用することで、同様な構造を構築し、電気的な接続を得ることも可能である。また、ＦＰＣ２を挿入する挿入口１５をコネクタ化することで、トップタイプ、ライトアングル仕様等の構造に使用することも可能である。
【００７１】
本発明においては、内層板１０の板厚は、０．５〜２．０ｍｍまで可能であるが、本発明の実施に供する内層板の板厚は、０．５〜０．８ｍｍ程度と想定される。
【００７２】
第１外層板１１と第２外層板１２となる両面プリント配線板のそれぞれの板厚は、０．２ｍｍ程度であり、必要に応じてプリプレグと銅箔を積層して板厚を厚くしてもよく、両面プリント配線板自身の板厚を厚くしてもよい。なお、銅箔の厚さは３５μｍであり、厚さ方向に対して無視できると考える。
【００７３】
また、切り欠き溝１３の幅Ｗ１は実施形態に応じて、適宜設定されてよい。同様に、内層板１０の板厚も実施形態に応じて、適宜設定されてよい。
【００７４】
＜変形例＞
［ＺＩＦ型プリント配線板用コネクタの接続構造］
本実施形態に係る接続構造のうち、ＦＰＣの導体を挿抜するときに、挿抜力をほとんど要しないＺＩＦ型プリント配線板用コネクタの配線構造について、図１１に示すスライダーを用いて説明する。なお、以下の実施形態の説明においては、前記第１実施形態と同一の構成要件においては同一符号を付し、その説明は省略若しくは簡略化する。
【００７５】
図１１は、本発明に係る変形例におけるＦＰＣ２を多層板１に挿入したときの接続構造を示す断面図である。図１１（ａ）は、変形例におけるＦＰＣ２を多層板１に挿入したときの接続構造を示す断面図であり、図１１（ｂ）は、ＦＰＣ２を多層板１に挿入後、係合部材３７を解除した構造を示す断面図である。
【００７６】
図１１（ａ）に示すように、変形例における係合部材３７は、ベローズコンタクト３２の第１腕の延出部３２Ｃを押止する。ベローズコンタクト３２の第１接触部３２Ａは、係合部材３７の押止力により、ライン接続端子と逆の方向に押し出される。第１腕の延出部３２Ｃが押し出されると、第１接触部３２Ａの位置もライン接続端子と対向する方向に押し返され低くなり、第１接触部３２Ａの位置が低くなると、第１接触部３２ＡからＦＰＣ２の下面までの間隔は、多層板１の板厚面に形成されている挿入口１５の短手方向の幅より小さくなる。
【００７７】
そして、係合部材３７により第１接触部が押し返された状態においては、ベローズコンタクト３２が挿入口１５の内壁に接触することなく、ＦＰＣ２を挿入することができる。
【００７８】
図１１（ｂ）は、本変形例に係るＦＰＣ２挿入後、係合部材３７を解除した状態の接続構造を示す断面図である。ＦＰＣ２挿入後、係合部材３７を解除すると、係合部材３７により押止されていた第１腕の延出部３２Ｃは、弾性力によりもとの状態にもどろうとする。これにより、第１接触部３２ＡからＦＰＣ２の下面までの距離は、挿入口１５の短手方向の幅より若干大きいため、弾性力により回復した第１接触部は、挿入口１５の上面内壁を押圧する。
【００７９】
こうして、第１接触部３２Ａ及び第２接触部３２Ｂを有する第１腕が弾性変形することにより、その反作用として第１接触部３２Ａは挿入口１５内に備えられているライン接続端子に接触圧を付与し、さらに、第２接触部３２ＢにおいてＦＰＣ２に接触圧を加える。
【００８０】
これにより、ＦＰＣ２は、スライダー３内におけるベローズコンタクト３２の第２接触部３２Ｂに接続されており、ベローズコンタクト３２は、挿入口１５内からライン接続端子を圧接することにより、ＦＰＣ２と多層板１の電気的相互接続を可能とする。
【図面の簡単な説明】
【００８１】
【図１】本発明に係る実施例におけるＦＰＣと多層プリント配線板との接続構造を示す外観斜視図である。
【図２】図１における実施例において、ＦＰＣ、スライダー及び係合部材を一体化したものを多層板に挿入する状態の接続構造を示す外観斜視図である。
【図３】図１における実施例において、ＦＰＣ、スライダー及び係合部材を一体化したものを多層板に挿入した状態の接続構造を示す外観斜視図である。
【図４】本発明に係る実施例におけるスライダーを示す図である。
【図５】図４におけるｘ−ｘ断面図である。
【図６】図４におけるｙ−ｙ断面図である。
【図７】本発明に係る実施例における係止部材を示す図である。
【図８】本発明に係る実施例においてスライダーにＦＰＣを装着した状態を示す外観斜視図である。
【図９】図８に係合部材を装着した状態を示す外観斜視図である。
【図１０】本発明に係る実施例におけるＦＰＣの挿入状態を示す断面図である。
【図１１】本発明に係る変形例におけるＦＰＣの挿入状態を示す断面図である。
【符号の説明】
【００８２】
１  多層プリント配線板（多層板）
１０  内層板
１１  第１外層板
１２  第２外層板
１３  切り欠き溝
１４  ライン接続端子
１５  挿入口
２  ＦＰＣ
２０  導体
２１  露出導体部
２２  露出面
２３  基材
２４  矩形溝
３  スライダー
３０  嵌合凸部
３１  絶縁性ハウジング
３１Ａ  挿入部
３１Ｂ  把持部
３２  ベローズコンタクト
３２Ａ  第１接触部
３２Ｂ  第２接触部
３２Ｃ  延出部
３３  係合溝
３４  第２腕
３５  係合部材
３５Ａ  凸部
【図１】
2006229158.tif 000003
【図２】
2006229158.tif 000004
【図３】
2006229158.tif 000005
【図４】
2006229158.tif 000006
【図５】
2006229158.tif 000007
【図６】
2006229158.tif 000008
【図７】
2006229158.tif 000009
【図８】
2006229158.tif 000010
【図９】
2006229158.tif 000011
【図１０】
2006229158.tif 000012
【図１１】
2006229158.tif 000013